(57)【要約】【課題】植物種子が内蔵され、容器を土に埋めて自然分解された後、種子が土、空気及び水に触れて発芽・成長する、植物を育成可能な容器を提供する。【解決手段】植物を育成可能な容器は、生分解性プラスチックからなるとともに、外面に種子結合部５１が設けられた容器１と、生分解性プラスチックからなる種子被覆物２と、少なくとも１つの植物種子３とを備える。種子被覆物２は、種子ケースの形式であり、ケースカバーを介して種子を出し入れして交換可能であるとともに、容器１の種子結合部５１に固定される。植物種子３は、種子被覆物２により容器１の種子結合部５１内に密封され、容器１及び種子被覆物２が分解された後、植物種子３が発芽・成長する。【選択図】図１
0003226188.tif 000002
【実用新案登録請求の範囲】
【請求項１】
植物を育成可能な容器であって、
生分解性プラスチックからなるとともに、外面に種子結合部が設けられた容器と、
生分解性プラスチックからなる種子被覆物と、
少なくとも１つの植物種子とを備え、
前記種子被覆物が、種子ケースの形式であり、ケースカバーを介して前記植物種子を出し入れして交換可能であるとともに、前記容器の前記種子結合部に固定され、
前記植物種子が、前記種子被覆物により前記容器の前記種子結合部内に密封され、前記容器及び前記種子被覆物が分解された後、前記植物種子が発芽・成長する植物を育成可能な容器。
【請求項２】
前記容器の前記種子結合部は、前記種子被覆物が連結固定される凹孔を有する請求項１に記載の植物を育成可能な容器。
【請求項３】
前記種子被覆物が、前記凹孔内に挿入される請求項２に記載の植物を育成可能な容器。
【請求項４】
前記凹孔が、前記容器の頂面に形成されている請求項２に記載の植物を育成可能な容器。
【請求項５】
前記凹孔が、前記容器の側面に形成されている請求項２に記載の植物を育成可能な容器。
【請求項６】
前記凹孔が、前記容器の底面に形成されている請求項２に記載の植物を育成可能な容器。
【請求項７】
前記植物種子が、前記種子被覆物により取り囲まれる請求項１に記載の植物を育成可能な容器。
【請求項８】
前記生分解性プラスチックがポリ乳酸（Ｐｏｌｙ  Ｌａｃｔｉｃ  Ａｃｉｄ：ＰＬＡ）である請求項１に記載の植物を育成可能な容器。
【請求項９】
前記種子被覆物は、前記種子ケースの形式であり、
前記ケースカバーを介して前記種子を出し入れして交換可能である請求項１に記載の植物を育成可能な容器。
【考案の詳細な説明】
【技術分野】
【０００１】
本考案は、植物を育成可能な容器に関し、特に、植物種子が内蔵され、容器を土に埋めて自然分解された後、種子が土、空気及び水に触れて発芽・成長する植物を育成可能な容器に関する。
【背景技術】
【０００２】
従来の植物を育成可能な容器は、消費者が使用済みの容器を庭又は鉢植えに埋め、生物が分解可能な容器が土中で自然分解された後、容器内の植物の種子が発芽・成長し、廃棄後に分解不能なプラスチック容器と混合されることを防ぎ、一定期間埋めた後に価値ある植物が成長するため、回収及び分類する手間を減らし、回収作業にかかるコストを減らすことができた。
【０００３】
しかしながら、従来の植物を育成可能な容器は、主に少なくとも１つの植物種子が容器の種子結合部内に密封され、容器を生産するときに種子をその中に包まなければならず、交換することができなかった。そのため、気候が異なる様々な国では、上述したように種子を一定期間埋めても、価値ある植物を成長させることができないことがあった。
【０００４】
そのため、使用済みの容器を庭又は鉢植えに埋めるインセンティブを消費者に与え、生物が分解可能な容器が土の中で自然分解された後、容器内の植物の種子が各国の様々な気候に応じて発芽・成長するとともに、原生環境の種を保護し、生物循環を達成し、価値ある植物を成長させ、種子が発芽しないという問題が生じることを防ぎ、原生環境の種を保護することができる植物を育成可能な容器が求められていた。
【考案の概要】
【考案が解決しようとする課題】
【０００５】
そこで、本考案者は、上記課題を解決するための鋭意検討を重ねた結果、かかる知見に基づいて、本考案を想到するに至った。
本考案の課題は、元の植物種子を交換し、消費者自らが一定期間埋め、価値のある植物を成長させ、種子が発芽しない問題を改善し、原生環境の種を保護する植物を育成可能な容器を提供することである。
本考案のもう一つの課題は、種子ケースのケースカバーを介して種子を出し入れして交換し、各地域の環境の違いに応じて異なる植物種子を植えることができるため、原生環境の種を保護する植物を育成可能な容器を提供することである。
【考案の効果】
【０００６】
本考案の植物を育成可能な容器は、生分解性プラスチックにより容器を構成し、ケースカバーを介して種子を出し入れして交換可能にするとともに、容器を庭又は鉢植えの土の中に埋めるインセンティブを消費者に与え、一定期間埋めた後に価値のある植物が成長するようにし、発芽しない問題を防ぎ、原生環境の種を保護する。
【図面の簡単な説明】
【０００７】
【図１】本考案の第１実施形態に係る植物を育成可能な容器を示す分解斜視図である。
【図２】本考案の第１実施形態に係る植物を育成可能な容器を示す斜視図である。
【図３】図２の線Ｃ−Ｃに沿った断面図である。
【図４】本考案の第１実施形態に係る植物を育成可能な容器の応用状態を示す図（１）である。
【図５】本考案の第１実施形態に係る植物を育成可能な容器の応用状態を示す図（２）である。
【図６】本考案の一実施形態に係る種子ケースの応用状態を示す模式図である。
【考案を実施するための形態】
【０００８】
以下、本考案の目的、特徴及び効果をより分かりやすくするために、具体的な実施形態について図に基づいて詳しく説明する。
【０００９】
図１〜図３を参照する。本考案の一実施形態に係る植物を育成可能な容器は、図１〜図３に示されるように、生分解性プラスチックからなるとともに、外面に少なくとも１つの種子結合部５１が設けられた容器１と、生分解性プラスチックからなる種子被覆物２と、少なくとも一つの植物種子３とを備える。種子被覆物２は、着脱可能な種子ケースＳの形式であり、ケースカバーを介して種子を出し入れして交換可能であるとともに、容器１の種子結合部５１に固定させることができる。植物種子３は、花卉、野菜又は樹木の種子と随時交換してもよく、種子被覆物２が容器１の種子結合部５１内に密封されて本考案の植物を育成可能な容器を構成し、容器１及び種子被覆物２が土内で自然分解した後に植物種子３が発芽・成長する。
【００１０】
上述した生分解性プラスチックはポリ乳酸（Ｐｏｌｙ  Ｌａｃｔｉｃ  Ａｃｉｄ：ＰＬＡ）でもよい。図１〜図３を参照する。図１〜図３に示されるように、上述した容器１の種子結合部５１の凹孔５１１には、種子被覆物２を連結固定させることができる。種子被覆物２を凹孔５１１内に挿入して固定させることができるため、種子被覆物２により容器１の種子結合部５１内に植物種子３を密封させることができる。図１に示されるように、本実施形態において、上述した容器１の底面には、上述した凹孔５１１が形成され、凹孔５１１内に種子被覆物２及び植物種子３を挿入し、本考案の植物を育成可能な容器が構成される。
【００１１】
上述した本考案の植物種子３を種子被覆物２で覆うか、先に上述した種子結合部５１内に入れてから、種子被覆物２を着脱可能な種子ケースＳとして使用し、ケースカバーを介して種子を入れて密封した後、容器１及び種子被覆物２が自然分解すると種子の発芽・成長が開始する。
【００１２】
本考案の植物を育成可能な容器を実際に応用する場合、容器上には、種子ケースＳの種子を交換し、容器１が埋められて育つ植物に関することなどが記載されてもよい。図４及び図５を参照する。図４及び図５に示されるように、消費者が容器１の内容物（例えば、飲み物、シャンプー、ボディーシャンプー、乳液など）を使い終えると、現地の経済価値を有する種子に自ら交換し、直接、自宅の庭又は鉢植えの土に埋めて１２〜２４ヶ月経つと、容器１及び種子被覆物２が土の中にいる微生物により自然分解される。このため、植物種子３が空気、水及び土に触れ、有利な成長環境下で自然に発芽・成長し、花卉、野菜又は樹木などの植物を育てることができる。このことから分かるように、本考案は、使用済みの容器１を庭又は鉢植えに埋めるインセンティブを消費者に与え、消費者が現地の気候に適した植物種子を植えることができるようにし、一定時間埋めた後、価値のある植物を成長させる効果があり、種子が発芽しない問題を改善し、原生環境種を保護することができる。
【００１３】
上述したことから分かるように、本考案の植物を育成可能な容器は、実用新案権の３要件である新規性、進歩性及び産業上の利用可能性を満たす。新規性及び進歩性に関しては、本考案が生分解性プラスチックからなるとともに、種子ケースのケースカバーを介して種子を出し入れして交換し得る容器構造を有し、容器を庭又は鉢植えの土の中に一定期間埋めた後、価値ある植物種子が成長し、各地域の環境の違いに応じて異なる植物種子を植えることができるため、原生環境の種を保護することができる。産業上の利用可能性に関しては、本考案を利用して生産した製品は、消費者のニーズを満たすことができる。
【００１４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
１  容器
２  種子被覆物
３  植物種子
５１  種子結合部
５１１  凹孔
Ｓ  種子ケース
【図１】
0003226188.tif 000003
【図２】
0003226188.tif 000004
【図３】
0003226188.tif 000005
【図４】
0003226188.tif 000006
【図５】
0003226188.tif 000007
【図６】
0003226188.tif 000008